(57)【要約】【課題】番号非通知の発着信の利便性を向上させること。【解決手段】交換機１２０は電話端末間の呼制御を行う。第一送信部１２３は、番号非通知の呼の識別情報を呼の着信側の電話端末１３０へ送信する。受信部１２４は、第一送信部１２３によって送信された識別情報を含み電話端末１３０のユーザ操作により送信された要求信号を受信する。第二送信部１２６は、受信部１２４によって受信された要求信号に含まれる識別情報が示す呼の発信側の電話端末１１０へ要求信号を送信する。【選択図】図１
2012060477.tif 000002
【特許請求の範囲】
【請求項１】
電話端末間の呼制御を行う交換機において、
番号非通知の呼を示す識別情報を前記呼の着信側の電話端末へ送信する第一送信部と、
前記第一送信部によって送信された識別情報を含み前記着信側の電話端末のユーザ操作により送信された要求信号を受信する受信部と、
前記受信部によって受信された要求信号に含まれる識別情報が示す呼の発信側の電話端末へ、前記要求信号に基づく要求信号を送信する第二送信部と、
を備えることを特徴とする交換機。
【請求項２】
番号非通知の呼を交換機に対して要求する発信側の電話端末と、
前記電話端末によって要求された呼を示す識別情報を前記呼の着信側の電話端末へ送信する交換機と、
前記交換機によって送信された識別情報を含む要求信号をユーザ操作によって前記交換機へ送信する前記着信側の電話端末と、
を含み、
前記交換機は、前記着信側の電話端末によって送信された要求信号に含まれる識別情報が示す呼の発信側の電話端末へ、前記要求信号に基づく要求信号を送信し、
前記発信側の電話端末は、前記交換機によって送信された要求信号が示す要求内容をユーザに通知することを特徴とする通信システム。
【請求項３】
発信側の電話端末が、番号非通知の呼を交換機に対して要求する要求工程と、
前記交換機が、前記要求工程によって要求された呼を示す識別情報を前記呼の着信側の電話端末へ送信する第一送信工程と、
前記着信側の電話端末が、前記第一送信工程によって送信された識別情報を含む要求信号をユーザ操作によって前記交換機へ送信する第二送信工程と、
前記交換機が、前記第二送信工程によって送信された要求信号に含まれる識別情報が示す呼の発信側の電話端末へ、前記要求信号に基づく要求信号を送信する第三送信工程と、
前記発信側の電話端末が、前記第三送信工程によって送信された要求信号が示す要求内容をユーザに通知する通知工程と、
を含むことを特徴とする通信方法。
【請求項４】
交換機に要求された番号非通知の呼の着信側の電話端末において、
前記呼を示す識別情報を前記交換機から受信する受信部と、
前記受信部によって受信された識別情報を記憶する記憶部と、
前記記憶部によって記憶された識別情報に対するユーザによる指定操作を受け付ける受付部と、
前記受付部によって指定操作が受け付けられた識別情報を含む、前記識別情報が示す呼の発信側の電話端末に対する要求信号を前記交換機へ送信する送信部と、
を備えることを特徴とする電話端末。
【発明の詳細な説明】
【技術分野】
【０００１】
本発明は、交換機、通信システム、通信方法および電話端末に関する。
【背景技術】
【０００２】
従来、携帯電話などの電話通信システムにおいて、発信側の電話番号を着信側に伝えないように電話をかける番号非通知発信の技術が用いられている。また、番号非通知発信に関する技術として、番号非通知発信に対して発信側の番号通知を促す技術が知られている（たとえば、下記特許文献１，２参照。）。
【先行技術文献】
【特許文献】
【０００３】
【特許文献１】特開平１１−６８９５２号公報
【特許文献２】特開２００２−２４７２３６号公報
【発明の概要】
【発明が解決しようとする課題】
【０００４】
しかしながら、上述した従来技術では、番号非通知の着信電話に出ることができなかった場合に、着信側の端末の着信履歴には番号非通知での着信があったことが記憶されるが、発信側の電話番号は不明である。このため、着信側のユーザは発信側に連絡をとることができず、利便性に欠けるという問題がある。
【０００５】
また、番号非通知発信に対して発信側の番号通知を促す技術では、着信側および発信側で番号通知を希望するか否かに関わらず、番号非通知のままの発信が制限される。このため、番号非通知発信自体の利便性が損なわれるという問題がある。
【０００６】
開示の交換機、通信システム、通信方法および電話端末は、上述した問題点を解消するものであり、番号非通知の発着信の利便性を向上させることを目的とする。
【課題を解決するための手段】
【０００７】
上述した課題を解決し、目的を達成するため、開示技術は、電話端末間の呼制御を行う交換機において、番号非通知の呼を示す識別情報を前記呼の着信側の電話端末へ送信し、送信された識別情報を含み前記着信側の電話端末のユーザ操作により送信された要求信号を受信し、受信された要求信号に含まれる識別情報が示す呼の発信側の電話端末へ、前記要求信号に基づく要求信号を送信することを要件とする。
【発明の効果】
【０００８】
開示の交換機、通信システム、通信方法および電話端末によれば、番号非通知の発着信の利便性を向上させることができるという効果を奏する。
【図面の簡単な説明】
【０００９】
【図１】実施の形態１にかかる通信システムを示すブロック図である。
【図２】通信システムの具体例を示す図である。
【図３】交換局に記憶される情報の一例を示す図である。
【図４】着信側の携帯電話に記憶される着信履歴情報の一例を示す図である。
【図５】発信側の携帯電話の発信操作に基づく通信システムの動作の一例（不在着信時）を示すシーケンス図である。
【図６】発信側の携帯電話の発信操作に基づく通信システムの動作の一例（着信応答時）を示すシーケンス図である。
【図７】着信側の再発信要求に基づく通信システムの動作の一例を示すシーケンス図である。
【図８】着信側の携帯電話に表示される着信履歴画面の一例を示す図である。
【図９】着信側の携帯電話における再発信要求に対する結果表示の一例を示す図である。
【図１０】発信側の携帯電話に表示される再発信要求画面の一例を示す図である。
【図１１】実施の形態２にかかる通信システムを示すブロック図である。
【図１２】着信側の番号通知要求に基づく通信システムの動作の一例を示すシーケンス図である。
【図１３】着信側の携帯電話の着信履歴画面の一例を示す図である。
【図１４】発信側の携帯電話に表示される番号通知要求画面の一例を示す図である。
【図１５】着信側の携帯電話における番号通知要求に対する結果表示（通知許可）の一例を示す図である。
【図１６】着信側の携帯電話における番号通知要求に対する結果表示（通知不許可）の一例を示す図である。
【図１７】実施の形態３にかかる通信システムを示すブロック図である。
【図１８】着信側の発信許可要求に基づく通信システムの動作の一例を示すシーケンス図である。
【図１９】着信側の発信許可要求に基づく通信システムの動作の他の例を示すシーケンス図である。
【図２０】着信側の携帯電話の着信履歴画面の一例を示す図である。
【図２１】発信側の携帯電話に表示される発信許可要求画面の一例を示す図である。
【図２２】着信側の携帯電話の着信履歴画面の一例を示す図である。
【発明を実施するための形態】
【００１０】
以下に添付図面を参照して、開示技術の好適な実施の形態を詳細に説明する。
【００１１】
（実施の形態１）
（通信システムの構成）
図１は、実施の形態１にかかる通信システムを示すブロック図である。図１に示すように、実施の形態１にかかる通信システム１００は、電話端末１１０と、交換機１２０と、電話端末１３０と、を含む。電話端末１１０および電話端末１３０は、それぞれ固定電話や携帯電話などの電話端末である。ここでは、電話端末１１０が発信側の電話端末であり、電話端末１３０が着信側の電話端末である場合について説明する。
【００１２】
電話端末１１０は、電話端末１３０を着信側とする番号非通知の呼を交換機１２０に要求する。具体的には、電話端末１１０は、電話端末１３０の電話番号を指定した発信操作をユーザから受け付けると、電話端末１３０の電話番号を含む呼設定要求信号を交換機１２０へ送信することによって呼を要求する。
【００１３】
電話端末１１０は、たとえば、特番「１８４」に続けて電話端末１３０の電話番号を指定した操作を受け付けた場合に、交換機１２０に対して番号非通知の呼を要求する。または、電話端末１１０は、番号非通知を解除する操作を行わない限り番号非通知の呼を要求するようにあらかじめ設定されていてもよい。番号非通知を解除する操作は、たとえば、電話端末１３０の電話番号の前に特番「１８６」を指定する操作である。
【００１４】
また、電話端末１１０は、受信部１１１と、通知部１１２と、を備えている。受信部１１１は、交換機１２０から送信された要求信号を受信する。受信部１１１は、受信した要求信号を通知部１１２へ出力する。通知部１１２は、受信部１１１から出力された要求信号が示す要求内容を電話端末１１０のユーザへ通知する。
【００１５】
交換機１２０は、電話端末間の呼制御を行う。ここでは、交換機１２０が電話端末１１０と電話端末１３０との間の呼制御を行うとする。具体的には、交換機１２０は、電話端末１１０から送信された呼設定要求信号に含まれる電話番号に基づいて電話端末１３０を特定し、電話端末１３０へ呼設定要求信号を送信する。その後、交換機１２０は、電話端末１１０および電話端末１３０との間でメッセージを送受信することで呼制御を行う。
【００１６】
また、交換機１２０は、電話端末１１０によって要求された呼を示す識別情報を呼の着信側の電話端末１３０へ送信する。識別情報は、たとえば、電話端末１１０や他の電話端末によって交換機１２０に要求された呼ごとに固有の識別情報である。また、識別情報は、対応する呼の発信側の電話番号とは異なる情報である。これにより、電話端末１３０に対しては電話端末１１０の電話番号を非通知のまま、番号非通知の呼を電話端末１３０の側で指定可能な識別情報を電話端末１３０へ送信することができる。
【００１７】
また、交換機１２０は、電話端末１３０によって送信された要求信号に含まれる識別情報が示す呼の発信側の電話端末１１０へ、電話端末１３０によって送信された要求信号が示す要求内容を示す要求信号を送信する。たとえば、交換機１２０が送信する要求信号は、電話端末１３０からの要求信号そのものでもよいし、電話端末１３０からの要求信号に基づいて交換機１２０において新たに生成したものであってもよい。
【００１８】
具体的には、交換機１２０は、生成部１２１と、記憶部１２２と、第一送信部１２３と、受信部１２４と、検索部１２５と、第二送信部１２６と、を備えている。生成部１２１は、電話端末１１０から交換機１２０に要求された番号非通知の呼を識別する識別情報を生成する。具体的には、生成部１２１は、電話端末１１０や他の電話端末から交換機１２０に対して番号非通知の呼が要求されるごとに異なる識別情報を生成する。
【００１９】
生成部１２１は、生成した識別情報と、生成した識別情報が示す呼の発信側の電話端末１１０と、を対応付ける対応情報を記憶部１２２へ出力する。また、生成部１２１は、生成した識別情報を第一送信部１２３へ出力するとともに、生成した識別情報が示す呼の着信側の電話端末１３０を第一送信部１２３へ通知する。記憶部１２２は、生成部１２１から出力された対応情報を記憶する。
【００２０】
第一送信部１２３は、生成部１２１から出力された識別情報を、生成部１２１から通知された電話端末１３０へ送信する。第一送信部１２３による識別情報の送信は、たとえば交換機１２０による呼制御の手順において行ってもよい。たとえば、第一送信部１２３は、交換機１２０の呼制御によって電話端末１３０へ送信されるメッセージ（たとえば呼設定メッセージ）に識別情報を格納することで、識別情報を電話端末１３０へ送信する。
【００２１】
受信部１２４は、第一送信部１２３によって送信された識別情報を含み、電話端末１３０のユーザ操作により送信された要求信号を受信する。受信部１２４は、受信した要求信号を検索部１２５へ出力する。また、受信部１２４は、受信した要求信号の送信元の電話端末１３０を特定可能な要求元特定情報を第二送信部１２６へ出力してもよい。要求元特定情報は、たとえば電話端末１３０の電話番号など、要求元特定情報の受信側で電話端末１３０を特定可能な情報である。
【００２２】
検索部１２５は、受信部１２４から出力された要求信号に含まれる識別情報に対応する発信側の電話端末を、記憶部１２２によって記憶された対応情報に基づいて検索する。ここでは検索部１２５によって電話端末１１０が検索される。検索部１２５は、検索された電話端末１１０を第二送信部１２６へ通知する。第二送信部１２６は、検索部１２５から通知された電話端末１１０へ要求信号を送信する。また、第二送信部１２６は、受信部１２４から通知された要求元特定情報を含む要求信号を電話端末１１０へ送信してもよい。
【００２３】
電話端末１３０は、電話端末１１０によって要求された呼の着信側の電話端末であり、電話端末１１０や他の電話端末からの着信の履歴を示す着信履歴情報を自身のメモリに記憶する。また、電話端末１３０は、交換機１２０によって送信された識別情報を含む要求信号をユーザ操作によって交換機１２０へ送信する。具体的には、電話端末１３０は、受信部１３１と、記憶部１３２と、通知部１３３と、受付部１３４と、送信部１３５と、を備えている。
【００２４】
受信部１３１は、電話端末１１０や他の電話端末から交換機１２０に要求された番号非通知の呼のうちの自身（電話端末１３０）が着信側である呼の識別情報を交換機１２０から受信する。受信部１３１は、受信した識別情報を記憶部１３２へ出力する。記憶部１３２は、受信部１３１から出力された識別情報を記憶する。たとえば、交換機１２０が呼制御において識別情報を送信する場合において、記憶部１３２は、交換機１２０から要求される呼の着信履歴と対応付けて識別情報を記憶する。
【００２５】
通知部１３３は、記憶部１３２に記憶された識別情報をユーザに表示する。また、通知部１３３は、記憶部１３２において識別情報と対応付けられた着信履歴をユーザに表示してもよい。受付部１３４は、記憶部１３２に記憶された識別情報に対するユーザによる直接または間接の指定操作を受け付ける。たとえば、受付部１３４は、ユーザによって直接指定された識別情報を取得する。または、受付部１３４は、ユーザによって着信履歴が指定された場合に、指定された着信履歴に対応する識別情報を記憶部１３２から取得する。受付部１３４は、取得した識別情報を送信部１３５へ出力する。
【００２６】
送信部１３５は、受付部１３４から出力された識別情報を交換機１２０へ送信する。これにより、電話端末１３０のユーザは、交換機１２０から受信した識別情報を指定することで、番号非通知の呼の発信側の電話端末１１０へ要求信号を送信することができる。また、電話端末１１０のユーザは、過去に番号非通知で発信を行った電話端末１３０から要求信号が送信されたことを知ることができる。このため、電話端末１３０のユーザは、番号非通知の発信をしてきた電話端末１１０のユーザと連絡をとることが可能になる。
【００２７】
実施の形態１においては、電話端末１３０は、ユーザ操作によって指定された識別情報を含む再発信要求信号を送信する。再発信要求信号は、発信側の電話端末１１０から着信側の電話端末１３０への再発信を要求する要求信号である。これに対して、交換機１２０は、電話端末１１０に対して再発信要求信号を送信する。これにより、電話端末１１０のユーザは、電話端末１３０のユーザが再発信を要求していることを知ることができる。
【００２８】
これにより、電話端末１１０のユーザが電話端末１３０へ再度発信を行うことで、電話端末１３０のユーザは、電話端末１１０のユーザと連絡をとることができる。また、電話端末１１０からの再発信は番号非通知で行うこともできるため、電話端末１１０のユーザは電話端末１３０のユーザに対して番号非通知のまま連絡をとることもできる。
【００２９】
（通信システムの具体例）
図２は、通信システムの具体例を示す図である。図２に示す通信システム２００は、図１に示した通信システム１００の具体例である。通信システム２００は、無線通信を介して通話を行うシステムである。具体的には、通信システム２００は、携帯電話２１０と、基地局２２０と、交換局２３０と、基地局２４０と、携帯電話２５０と、を含む。
【００３０】
携帯電話２１０は、図１に示した電話端末１１０に対応する。携帯電話２１０は、基地局２２０のセルに位置しており、基地局２２０を介して交換局２３０と通信を行う。基地局２２０は、携帯電話２１０と交換局２３０との間の通信を中継する。携帯電話２１０と基地局２２０との間は無線によって通信が行われる。基地局２２０と交換局２３０との間は有線によって通信が行われる。
【００３１】
交換局２３０は、図１に示した交換機１２０に対応する。交換局２３０は、基地局２２０を介して携帯電話２１０と通信を行う。また、交換局２３０は、基地局２４０を介して携帯電話２５０と通信を行う。たとえば、交換局２３０は、基地局２２０や基地局２４０と直接通信を行う。または、交換局２３０は、他の通信装置を介して基地局２２０や基地局２４０と通信を行ってもよい。
【００３２】
基地局２４０は、交換局２３０と携帯電話２５０との間の通信を中継する。交換局２３０と基地局２４０との間は有線によって通信が行われる。基地局２４０と携帯電話２５０との間は無線によって通信が行われる。携帯電話２５０は、図１に示した電話端末１３０に対応する。携帯電話２５０は、基地局２４０のセルに位置しており、基地局２４０を介して交換局２３０と通信を行う。
【００３３】
携帯電話２１０および携帯電話２５０は、たとえば加入者情報などが記憶されているＵＳＩＭ（Ｕｎｉｖｅｒｓａｌ  Ｓｕｂｓｃｒｉｂｅｒ  Ｉｄｅｎｔｉｔｙ  Ｍｏｄｕｌｅ）を備えている。ＵＳＩＭには、たとえば、加入者ごとに固有の識別子であるＩＭＳＩ（Ｉｎｔｅｒｎａｔｉｏｎａｌ  Ｍｏｂｉｌｅ  Ｓｕｂｓｃｒｉｂｅｒ  Ｉｄｅｎｔｉｔｙ）や加入者の電話番号などが記憶されている。
【００３４】
携帯電話２１０や携帯電話２５０の電源を入れると、交換局２３０との間で位置登録処理が行われる。このとき、位置登録処理する携帯電話のＩＭＳＩに対して、一時的な識別子としてＴＭＳＩ（Ｔｅｍｐｏｒａｒｙ  Ｍｏｂｉｌｅ  Ｓｕｂｓｃｒｉｂｅｒ  Ｉｄｅｎｔｉｔｙ）が交換局２３０から割り当てられる。ＴＭＳＩは、交換局２３０がカバーするエリアを外れるか、電源を切るか、ＴＭＳＩの有効期間が切れるまで有効である。交換局２３０では、加入者情報として、ＩＭＳＩと電話番号とＴＭＳＩを対応付けて記録している（図３参照）。
【００３５】
ここでは、携帯電話２１０の電話番号を「＃Ａ」とする。また、携帯電話２１０のＴＭＳＩを「Ｔ１」とする。また、携帯電話２１０のＩＭＳＩを「Ｉ１」とする。また、携帯電話２５０の電話番号を「＃Ｂ」とする。また、携帯電話２５０のＴＭＳＩを「Ｔ２」とする。また、携帯電話２５０のＩＭＳＩを「Ｉ２」とする。
【００３６】
図２に示した通信システム２００において、携帯電話２１０が、交換局２３０に対して、電話番号「＃Ｂ」を着信側に指定した番号非通知の呼を要求したとする。これに対して、交換局２３０は、携帯電話２１０を発信側とし、携帯電話２５０を着信側とする呼の制御を行うとともに、制御を行う呼の識別情報としてリンクＩＤを生成する。ここではリンクＩＤ「＃０００２」が生成されたとする。交換局２３０は、リンクＩＤ「＃０００２」を携帯電話２１０と対応付けて記憶する。また、交換局２３０は、リンクＩＤ「＃０００２」を携帯電話２５０へ送信する。
【００３７】
携帯電話２５０は、交換局２３０から受信したリンクＩＤ「＃０００２」を着信履歴と対応付けて記憶する。また、携帯電話２５０は、リンクＩＤ「＃０００２」の指定操作をユーザから受け付けると、リンクＩＤ「＃０００２」を含む要求信号を交換局２３０へ送信する。携帯電話２５０から交換局２３０への要求信号の送信は、たとえばＳＳ（Ｓｕｐｐｌｅｍｅｎｔａｒｙ  Ｓｅｒｖｉｃｅｓ）などを用いて行うことができる。
【００３８】
交換局２３０は、携帯電話２５０から送信された要求信号に含まれるリンクＩＤ「＃０００２」を取得し、取得したリンクＩＤ「＃０００２」に対応付けて記憶した携帯電話２１０を検索する。そして、交換局２３０は、携帯電話２５０の電話番号「＃Ｂ」を含む要求信号を携帯電話２１０へ送信する。交換局２３０から携帯電話２１０への要求信号の送信は、たとえばＳＳなどを用いて行うことができる。携帯電話２１０は、交換局２３０から送信された要求信号に基づく通知をユーザに行う。
【００３９】
（交換局に記憶される通話記録）
図３は、交換局に記憶される情報の一例を示す図である。図３に示すように、交換局２３０のメモリ３００には、加入者情報３１０と、通話記録３２１，３２２，…と、が記憶されている。加入者情報３１０は、加入者の電話端末ごとに、ＩＭＳＩと、ＴＭＳＩと、電話番号と、を対応付けている。
【００４０】
たとえば、加入者情報３１０において、携帯電話２１０については、ＩＭＳＩ「Ｉ１」と、ＴＭＳＩ「Ｔ１」と、電話番号「＃Ａ」と、が対応付けられている。また、加入者情報３１０において、携帯電話２５０については、ＩＭＳＩ「Ｉ２」と、ＴＭＳＩ「Ｔ２」と、電話番号「＃Ｂ」と、が対応付けられている。
【００４１】
通話記録３２１，３２２，…は、図１に示した記憶部１２２に記憶される対応情報に対応する。通話記録３２１は、携帯電話２１０（ＩＭＳＩ「Ｉ１」）の通話記録である。通話記録３２２は、携帯電話２５０（ＩＭＳＩ「Ｉ２」）の通話記録である。このように、交換局２３０は、対応情報を電話端末ごとに記憶する。通話記録３２１，３２２，…のそれぞれは、記録番号（Ｎｏ．）と、通話の種別（発信または着信）と、通話先番号と、リンクＩＤと、を対応付ける対応情報である。
【００４２】
図２に示した例では、携帯電話２１０を発信側とし、携帯電話２５０を着信側とする番号非通知の呼の制御が行われたため、通話記録３２１には、種別が「発信」、通話先番号が「＃Ｂ」（非通知）、リンクＩＤが「＃０００２」の記録（Ｎｏ．ｍ）が含まれている。また、通話記録３２２には、種別が「着信」、通話先番号が「＃Ａ」（非通知）、リンクＩＤが「＃０００２」の記録（Ｎｏ．ｎ＋１）が含まれている。
【００４３】
また、携帯電話２５０は、携帯電話２１０からの着信の前に、電話番号「＃Ｃ」の電話端末に発信を行ったとする。このため、通話記録３２２には、種別が「発信」、通話先番号が「＃Ｃ」、リンクＩＤが「＃０００１」の記録（Ｎｏ．ｎ）が含まれている。なお、ここでは番号通知および番号非通知の呼ごとにリンクＩＤを生成する場合について説明したが、番号通知の呼についてはリンクＩＤ（識別情報）を生成しなくてもよい。
【００４４】
（着信側の携帯電話に記憶される着信履歴情報）
図４は、着信側の携帯電話に記憶される着信履歴情報の一例を示す図である。着信側の携帯電話２５０のメモリには、たとえば図４に示す着信履歴情報４００が記憶される。着信履歴情報４００においては、携帯電話２５０の着信ごとに、発信元電話番号、着信時間および着信種別を含む履歴情報と、リンクＩＤと、が対応付けられている。ただし、着信履歴情報４００において、番号非通知の着信については発信元電話番号は記憶されない。
【００４５】
（通信システムの動作）
図５は、発信側の携帯電話の発信操作に基づく通信システムの動作の一例（不在着信時）を示すシーケンス図である。携帯電話２１０および携帯電話２５０は、それぞれ基地局２２０および基地局２４０を介して交換局２３０と通信を行うが（図２参照）、ここでは基地局２２０および基地局２４０の図示を省略する（以下のシーケンス図においても同様）。図５に示すように、まず、携帯電話２１０が、携帯電話２５０を着信側とする番号非通知の発信操作をユーザから受け付ける（ステップＳ５０１）。
【００４６】
つぎに、携帯電話２１０が、ステップＳ５０１によって受け付けた発信操作に基づく呼設定メッセージ（ＳＥＴ  ＵＰ）を交換局２３０へ送信する（ステップＳ５０２）。ステップＳ５０２によって送信される呼設定メッセージには、たとえば着信側（携帯電話２５０）の電話番号と、発信側（携帯電話２１０）のＴＭＳＩと、が含まれている。
【００４７】
つぎに、交換局２３０が、ステップＳ５０２によって送信された呼設定メッセージによって要求された呼に固有のリンクＩＤを生成する（ステップＳ５０３）。ここではリンクＩＤ「＃０００２」が生成されたとする。つぎに、交換局２３０が、ステップＳ５０３によって生成されたリンクＩＤと、発信側（携帯電話２１０）と、の対応情報を記憶する（ステップＳ５０４）。
【００４８】
つぎに、交換局２３０が、ステップＳ５０２によって送信された呼設定メッセージに対する呼設定受付メッセージ（ＣＡＬＬ  ＰＲＯＣＥＥＤＩＮＧ）を携帯電話２１０へ送信する（ステップＳ５０５）。また、交換局２３０が、ステップＳ５０２によって送信された呼設定メッセージに含まれる電話番号に基づいて、携帯電話２５０へ呼設定メッセージを送信する（ステップＳ５０６）。また、交換局２３０は、ステップＳ５０６において送信する呼設定メッセージに、ステップＳ５０３によって生成されたリンクＩＤを含める。
【００４９】
つぎに、携帯電話２５０が、ステップＳ５０６によって送信された呼設定メッセージに対する発信確認メッセージ（ＣＡＬＬ  ＣＯＮＦＩＲＭＥＤ）を交換局２３０へ送信する（ステップＳ５０７）。つぎに、携帯電話２５０が、携帯電話２５０のユーザに対する呼び出しを開始することを示す呼出メッセージ（ＡＬＥＲＴＩＮＧ）を交換局２３０へ送信する（ステップＳ５０８）。
【００５０】
つぎに、交換局２３０が、ステップＳ５０８によって交換局２３０へ送信された呼出メッセージを携帯電話２１０へ送信する（ステップＳ５０９）。これにより、携帯電話２１０において、携帯電話２５０がユーザを呼び出し中である旨が携帯電話２１０のユーザに通知される。たとえば、携帯電話２５０は、着信側で呼び出しを行っていることを示す音声を再生する。つぎに、携帯電話２５０が、呼び出しを開始する（ステップＳ５１０）。ステップＳ５１０においては、たとえば、携帯電話２５０は、呼び出し音を再生したり、バイブレータを振動させたりする。
【００５１】
ここでは、携帯電話２５０のユーザが応答操作を行わずに、携帯電話２１０が切断操作をユーザから受け付けたとする（ステップＳ５１１）。つぎに、携帯電話２１０が、切断メッセージ（ＤＩＳＣＯＮＮＥＣＴ）を交換局２３０へ送信する（ステップＳ５１２）。つぎに、交換局２３０が、切断メッセージを携帯電話２５０へ送信する（ステップＳ５１３）。また、交換局２３０が、解放メッセージ（ＲＥＬＥＡＳＥ）を携帯電話２１０へ送信する（ステップＳ５１４）。つぎに、携帯電話２１０が、解放完了メッセージ（ＲＥＬＥＡＳＥ  ＣＯＭＰＬＥＴＥ）を交換局２３０へ送信する（ステップＳ５１５）。
【００５２】
また、携帯電話２５０が、ステップＳ５１３によって送信された切断メッセージに応じて呼び出しを停止する（ステップＳ５１６）。つぎに、携帯電話２５０が、解放メッセージを交換局２３０へ送信する（ステップＳ５１７）。つぎに、交換局２３０が、解放完了メッセージを携帯電話２５０へ送信する（ステップＳ５１８）。
【００５３】
つぎに、携帯電話２５０が、ステップＳ５０６によって送信された呼設定メッセージに含まれるリンクＩＤ「＃０００２」を、呼設定メッセージに基づく着信履歴と対応付けて記憶し（ステップＳ５１９）、一連の動作を終了する。これにより、携帯電話２５０は、着信履歴（不在着信）と、着信履歴に対応する呼を交換局２３０に対して指定できるリンクＩＤ「＃０００２」と、を対応付けて記憶することができる。
【００５４】
なお、交換局２３０による携帯電話２５０へのリンクＩＤ「＃０００２」の送信は、ステップＳ５０６に限らない。たとえば、交換局２３０は、ステップＳ５１３によって送信する切断メッセージとともにリンクＩＤ「＃０００２」を送信してもよい。また、交換局２３０は、ステップＳ５１８によって送信する解放完了メッセージとともにリンクＩＤ「＃０００２」を送信してもよい。
【００５５】
また、携帯電話２５０による着信履歴と対応付けたリンクＩＤ「＃０００２」の記憶は、ステップＳ５１９に限らず、交換局２３０からリンクＩＤ「＃０００２」を受信した後であればよい。たとえば、携帯電話２５０は、ステップＳ５０６によってリンクＩＤ「＃０００２」を含む呼設定メッセージを受信した直後に着信履歴と対応付けたリンクＩＤ「＃０００２」を記憶してもよい。
【００５６】
このように、携帯電話２１０から携帯電話２５０への呼が不在着信となった場合に着信履歴と対応付けたリンクＩＤ「＃０００２」を記憶する。これにより、携帯電話２５０のユーザは、たとえば、応答できなかった番号非通知の呼を指定して、発信側に信号を送信し、携帯電話２１０のユーザと連絡をとることが可能になる。
【００５７】
図６は、発信側の携帯電話の発信操作に基づく通信システムの動作の一例（着信応答時）を示すシーケンス図である。図６に示すステップＳ６０１〜Ｓ６１０は、図５に示したステップＳ５０１〜Ｓ５１０と同様である。ステップＳ６１０のつぎに、ここでは、携帯電話２５０が応答操作をユーザから受け付けたとする（ステップＳ６１１）。
【００５８】
つぎに、携帯電話２５０が、接続メッセージ（ＣＯＮＮＥＣＴ）を交換局２３０へ送信する（ステップＳ６１２）。つぎに、交換局２３０が、接続メッセージを携帯電話２１０へ送信する（ステップＳ６１３）。つぎに、携帯電話２１０が、接続応答メッセージ（ＣＯＮＮＥＣＴ  ＡＣＫ）を交換局２３０へ送信する（ステップＳ６１４）。つぎに、交換局２３０が、接続応答メッセージを携帯電話２５０へ送信する（ステップＳ６１５）。
【００５９】
つぎに、携帯電話２１０と携帯電話２５０との間で通話が行われる（ステップＳ６１６）。つぎに、携帯電話２１０が切断操作をユーザから受け付けたとする（ステップＳ６１７）。図６に示すステップＳ６１８〜Ｓ６２５は、図５に示したステップＳ５１２〜Ｓ５１９と同様である。これにより、携帯電話２５０は、着信履歴（着信応答）と、着信履歴に対応する呼を交換局２３０に対して指定できるリンクＩＤ「＃０００２」と、を対応付けて記憶することができる。
【００６０】
このように、携帯電話２１０からの発信に携帯電話２５０が応答した場合においても、着信履歴と対応付けたリンクＩＤ「＃０００２」を記憶するようにしてもよい。これにより、携帯電話２５０のユーザは、たとえば、番号非通知の発信に応答して通話し、呼が切断された後においても、通話を行った番号非通知の呼を指定して発信側に信号を送信し、携帯電話２１０のユーザと連絡をとることが可能になる。また、携帯電話２５０のユーザは、たとえば、番号非通知の発信に応答したがその直後に呼が切断されてしまった場合においても、切断された番号非通知の呼を指定して発信側に信号を送信し、携帯電話２１０のユーザと連絡をとることが可能になる。
【００６１】
また、ここでは携帯電話２１０において切断操作を受け付けた場合について説明したが、携帯電話２５０において切断操作を受け付けた場合においても同様に、着信履歴と対応付けたリンクＩＤ「＃０００２」を記憶するようにしてもよい。
【００６２】
図７は、着信側の再発信要求に基づく通信システムの動作の一例を示すシーケンス図である。図７に示す各ステップの前に、図５または図６の動作によって、リンクＩＤ「＃０００２」と対応付けられた着信履歴が携帯電話２５０に記憶されているとする。まず、携帯電話２５０が、リンクＩＤ「＃０００２」に対応する着信履歴を指定した再発信要求の操作をユーザから受け付ける（ステップＳ７０１）。
【００６３】
つぎに、携帯電話２５０が、再発信要求信号を交換局２３０へ送信する（ステップＳ７０２）。ステップＳ７０２によって送信される再発信要求信号には、着信側（携帯電話２５０）のＴＭＳＩ「Ｔ２」と、ステップＳ７０１において指定された着信履歴に対応するリンクＩＤ「＃０００２」と、が含まれる。
【００６４】
つぎに、交換局２３０が、ステップＳ７０２によって送信された再発信要求信号に含まれるリンクＩＤ「＃０００２」に対応する電話端末を通話記録（図３の通話記録３２１，３２２…）に基づいて検索する（ステップＳ７０３）。これにより、携帯電話２１０が検索される。たとえば、交換局２３０は、再発信要求信号に含まれるＴＭＳＩ「Ｔ２」（識別子）と加入者情報（図３の３１０）から、対応するＩＭＳＩ「Ｉ２」の通話記録（図３の通話記録３２２）を取得し、取得した通話記録の中からリンクＩＤ「＃０００２」に対応する電話端末を検索してもよい。これにより、リンクＩＤ「＃０００２」に対応する電話端末を高速に検索することができる。
【００６５】
つぎに、交換局２３０が、ステップＳ７０３によって検索された携帯電話２１０へ再発信要求信号を送信する（ステップＳ７０４）。ステップＳ７０４によって送信される再発信要求信号には、要求元特定情報として着信側（携帯電話２５０）の電話番号「＃Ｂ」が含まれる。つぎに、携帯電話２１０が、ステップＳ７０４によって送信された再発信要求信号に対する受信確認信号を交換局２３０へ送信する（ステップＳ７０５）。
【００６６】
つぎに、交換局２３０が、ステップＳ７０５によって携帯電話２１０から送信された受信確認信号を携帯電話２５０へ送信する（ステップＳ７０６）。つぎに、携帯電話２５０が、再発信要求が完了したことをユーザへ通知する（ステップＳ７０７）。ステップＳ７０７による通知は、たとえば画面表示や音声再生などによって行われる。
【００６７】
携帯電話２１０は、ステップＳ７０４によって送信された再発信要求信号に含まれる電話番号「＃Ｂ」の携帯電話２５０からの再発信要求があったことをユーザへ通知し（ステップＳ７０８）、一連の動作を終了する。ステップＳ７０８による通知は、たとえば画面表示や音声再生などによって行われる。これにより、携帯電話２１０のユーザは、携帯電話２５０に対する番号非通知の発信操作を再度行うことで、番号非通知のまま携帯電話２５０のユーザと連絡をとることが可能になる。
【００６８】
なお、ステップＳ７０２によって送信される再発信要求信号には、着信側（携帯電話２５０）のＴＭＳＩ「Ｔ２」を含めなくてもよい。この場合も、交換局２３０は、ステップＳ７０３において、各ＩＭＳＩに対応する通話記録（図３の通話記録３２１，３２２…）を取得し、取得した各通話記録の中からリンクＩＤ「＃０００２」に対応する電話端末を検索することができる。
【００６９】
また、ステップＳ７０４によって送信される再発信要求信号には、携帯電話２５０の電話番号「＃Ｂ」を含めなくてもよい。この場合は、携帯電話２１０は、過去に行った番号非通知の発信に対する再発信要求があったことをユーザへ通知する。これにより、携帯電話２１０のユーザは、過去に番号非通知の発信を行った携帯電話に対する番号非通知の発信操作を再度行うことで、過去に番号非通知の発信を行った携帯電話のユーザと番号非通知のまま連絡をとることが可能になる。
【００７０】
（画面表示例）
図８は、着信側の携帯電話に表示される着信履歴画面の一例を示す図である。図８に示す着信履歴画面８００は、図４に示した着信履歴情報４００に基づいて携帯電話２５０の画面に表示される着信履歴画面である。図７に示したステップＳ７０１において、ユーザは、たとえば、着信履歴画面８００に表示された各着信履歴の中から、番号非通知で不在着信となった着信履歴８１０をカーソル移動などで選択する。
【００７１】
そして、ユーザは、着信履歴８１０を選択した状態で、再発信要求ボタン８２０を指定する（再発信要求の操作）。これにより、携帯電話２５０は、図７に示したステップＳ７０２において、着信履歴８１０に対応付けられたリンクＩＤ「＃０００２」（図４参照）を含む再発信要求信号を交換局２３０へ送信する。
【００７２】
図９は、着信側の携帯電話における再発信要求に対する結果表示の一例を示す図である。図７に示したステップＳ７０７において、携帯電話２５０は、たとえばメッセージボックス９１０を画面に表示する。メッセージボックス９１０は、再発信要求が完了した旨のメッセージを示す。これにより、携帯電話２５０のユーザは、指定した番号非通知の着信に関する再発信要求が完了したことを確認することができる。また、ユーザがメッセージボックス９１０のＯＫボタン９１１を指定すると、携帯電話２５０は、メッセージボックス９１０を非表示にし、着信履歴画面８００を再度表示する。
【００７３】
図１０は、発信側の携帯電話に表示される再発信要求画面の一例を示す図である。図７に示したステップＳ７０８において、携帯電話２１０は、メッセージボックス１０１０と、再発信ボタン１０２１と、無視ボタン１０２２と、を含む再発信要求画面１０００を画面に表示する。メッセージボックス１０１０は、電話番号「＃Ｂ」の電話端末から再発信要求があった旨のメッセージを示す。これに対して、携帯電話２１０のユーザは、再発信ボタン１０２１および無視ボタン１０２２のいずれかを指定する操作を行う。
【００７４】
携帯電話２１０は、ユーザによる再発信ボタン１０２１の指定操作を受け付けると、携帯電話２５０に対する発信を再度行う。これにより、携帯電話２１０および携帯電話２５０の各ユーザが互いに連絡をとることができる。このとき、携帯電話２１０は、携帯電話２５０に対する発信を番号非通知で行ってもよい。これにより、携帯電話２１０のユーザは、番号非通知のまま携帯電話２５０のユーザと連絡をとることができる。
【００７５】
また、携帯電話２１０は、無視ボタン１０２２の指定操作を受け付けると、携帯電話２５０に対する再度の発信を行わない。これにより、携帯電話２１０のユーザが希望しない場合には、携帯電話２５０に対する再度の発信を拒否することが可能になる。
【００７６】
また、再発信要求画面１０００には、再発信ボタン１０２１および無視ボタン１０２２が含まれていなくてもよい。この場合においても、携帯電話２１０のユーザは、メッセージボックス１０１０に表示された電話番号「＃Ｂ」を指定した発信操作を再度行うことで、携帯電話２５０のユーザと連絡をとることができる。
【００７７】
このように、実施の形態１にかかる通信システム１００によれば、番号非通知の呼の着信側の電話端末１３０のユーザは、交換機１２０から受信した識別情報の指定操作を行うことで、発信側の電話端末１１０へ要求信号を送信することができる。これにより、過去における番号非通知の呼の着信側のユーザが発信側のユーザと連絡をとることが可能になる。このため、番号非通知の発着信の利便性を向上させることができる。
【００７８】
具体的には、電話端末１３０のユーザは、電話端末１１０へ再発信要求信号を送信することで、電話端末１１０のユーザに対して電話端末１３０への再発信を要求することができる。これにより、電話端末１１０のユーザが電話端末１３０への再発信を行い、電話端末１１０と電話端末１３０の各ユーザの間で連絡をとることができる。
【００７９】
また、電話端末１１０へ送信する再発信要求信号に電話端末１３０を特定可能な要求元特定情報を含めることで、電話端末１１０のユーザは、再発信要求の要求元が電話端末１３０であることを知ることができる。これにより、電話端末１１０のユーザは、確実に再発信要求の要求元に対して再発信を行うことができる。
【００８０】
（実施の形態２）
（通信システムの構成）
図１１は、実施の形態２にかかる通信システムを示すブロック図である。図１１において、図１に示した構成と同様の構成については同一の符号を付して説明を省略する。図１１に示すように、実施の形態２にかかる電話端末１１０は、図１に示した構成に加えて、受付部１１１１と、送信部１１１２と、を備えている。また、実施の形態２にかかる交換機１２０は、図１に示した構成に加えて、第二受信部１１２１と、通知部１１２２と、を備えている。また、実施の形態２にかかる電話端末１３０は、図１に示した構成に加えて、第二受信部１１３１と、通知部１１３２と、を備えている。
【００８１】
電話端末１３０の受付部１３４は、記憶部１３２に記憶された識別情報を指定した番号通知要求の操作をユーザから受け付ける。番号通知要求は、指定された識別情報に対応する呼について、発信側（電話端末１１０）の電話番号の電話端末１３０への通知の要求である。受付部１３４は、番号通知要求の操作において指定された識別情報を送信部１３５へ出力する。送信部１３５は、受付部１３４から出力された識別情報を含む番号通知要求信号を交換機１２０へ送信する。
【００８２】
交換機１２０の受信部１２４は、電話端末１３０から送信された番号通知要求信号を受信する。受信部１２４は、受信した番号通知要求信号を検索部１２５へ出力する。また、受信部１２４は、受信した番号通知要求信号の送信元の電話端末１３０を特定可能な要求元特定情報を第二送信部１２６へ出力してもよい。
【００８３】
検索部１２５は、受信部１２４から出力された番号通知要求信号に含まれる識別情報に対応する電話端末を、記憶部１２２に記憶された対応情報から検索する。検索部１２５は、検索した電話端末を第二送信部１２６へ通知する。第二送信部１２６は、検索部１２５から通知された電話端末へ番号通知要求信号を送信する。また、第二送信部１２６は、受信部１２４から出力された要求元特定情報を番号通知要求信号に含めてもよい。
【００８４】
電話端末１１０の受信部１１１は、交換機１２０から送信された番号通知要求信号を受信する。受信部１１１は、受信した番号通知要求信号を通知部１１２へ出力する。通知部１１２は、受信部１１１から出力された番号通知要求信号に基づく番号通知要求を電話端末１１０のユーザへ通知する。また、通知部１１２は、番号通知要求信号に要求元特定情報が含まれている場合は、要求元特定情報をユーザへ通知してもよい。これにより、ユーザは、番号通知要求の要求元を知ることができる。
【００８５】
受付部１１１１は、通知部１１２によって通知された番号通知要求に対するユーザからの操作を受け付ける。受付部１１１１は、ユーザから受け付けた操作を示す操作結果信号を送信部１１１２へ出力する。たとえば、操作結果信号は、電話端末１３０への番号通知を許可するか否かを示す信号である。送信部１１１２は、受付部１１１１から出力された操作結果信号を交換機１２０へ送信する。
【００８６】
交換機１２０の第二受信部１１２１は、電話端末１１０から送信された操作結果信号を受信する。第二受信部１１２１は、受信した操作結果信号を通知部１１２２へ出力する。通知部１１２２は、第二受信部１１２１から出力された操作結果信号に基づいて、電話端末１１０の電話番号の電話端末１３０への通知を行う。
【００８７】
具体的には、通知部１１２２は、第二受信部１１２１から番号通知を許可する旨の操作結果信号が出力された場合は、電話端末１１０の電話番号を含む結果信号を電話端末１３０へ送信する。また、通知部１１２２は、第二受信部１１２１から番号通知を許可しない旨の操作結果信号が出力された場合は、番号通知が許可されなかった旨の結果信号を電話端末１３０へ送信する。
【００８８】
電話端末１３０の第二受信部１１３１は、交換機１２０から送信された結果信号を受信する。第二受信部１１３１は、受信した結果信号を通知部１１３２へ出力する。通知部１１３２は、第二受信部１１３１から出力された結果信号が示す情報をユーザへ通知する。具体的には、通知部１１３２は、電話端末１１０の電話番号を含む結果信号が第二受信部１１３１から出力された場合は、結果信号に含まれる電話番号をユーザへ通知する。また、通知部１１３２は、番号通知が許可されなかった旨の結果信号が第二受信部１１３１から出力された場合は、番号通知が許可されなかった旨をユーザへ通知する。
【００８９】
これにより、電話端末１１０のユーザが電話端末１３０への番号通知を許可した場合は、電話端末１３０のユーザは、電話端末１１０の電話番号を取得して電話端末１１０に発信し、電話端末１１０のユーザと連絡をとることができる。また、電話端末１１０のユーザが電話端末１３０への番号通知を許可しなかった場合でも、電話端末１１０のユーザは、電話端末１３０のユーザから番号通知要求があったことを知ることができる。このため、電話端末１３０へ再度発信して電話端末１３０のユーザと連絡をとることができる。また、電話端末１１０からの再発信は番号非通知で行うこともできるため、電話端末１１０のユーザは電話端末１３０のユーザに対して番号非通知のまま連絡をとることもできる。
【００９０】
（通信システムの具体例等）
実施の形態２にかかる通信システム１００の具体例については、図２に示した具体例と同様である。また、実施の形態２にかかる交換局２３０のメモリに記憶される情報の例については、図３に示した例と同様である。また、実施の形態２にかかる着信側の携帯電話２５０に記憶される着信履歴情報の例については、図４に示した例と同様である。
【００９１】
（通信システムの動作）
実施の形態２にかかる発信側の携帯電話２１０の発信操作に基づく通信システムの動作の例については、図５または図６に示した例と同様である。
【００９２】
図１２は、着信側の番号通知要求に基づく通信システムの動作の一例を示すシーケンス図である。図１２に示す各ステップの前に、図５または図６の動作によって、リンクＩＤ「＃０００２」と対応付けられた着信履歴が携帯電話２５０に記憶されているとする。まず、携帯電話２５０が、リンクＩＤ「＃０００２」に対応する着信履歴を指定した番号通知要求の操作をユーザから受け付ける（ステップＳ１２０１）。
【００９３】
つぎに、携帯電話２５０が、番号通知要求信号を交換局２３０へ送信する（ステップＳ１２０２）。ステップＳ１２０２によって送信される番号通知要求信号には、着信側（携帯電話２５０）のＴＭＳＩ「Ｔ２」と、ステップＳ１２０１において指定された着信履歴に対応するリンクＩＤ「＃０００２」と、が含まれる。
【００９４】
つぎに、交換局２３０が、ステップＳ１２０２によって送信された番号通知要求信号に含まれるリンクＩＤ「＃０００２」に対応する電話端末を通話記録（図３の通話記録３２１，３２２…）に基づいて検索する（ステップＳ１２０３）。これにより、携帯電話２１０が検索される。たとえば、交換局２３０は、番号通知要求信号に含まれるＴＭＳＩ「Ｔ２」（識別子）と加入者情報（図３の加入者情報３１０）から、対応するＩＭＳＩ「Ｉ２」の通話記録（図３の通話記録３２２）を取得し、取得した通話記録の中からリンクＩＤ「＃０００２」に対応する電話端末を検索してもよい。これにより、リンクＩＤ「＃０００２」に対応する電話端末を高速に検索することができる。
【００９５】
つぎに、交換局２３０が、ステップＳ１２０３によって検索された携帯電話２１０へ番号通知要求信号を送信する（ステップＳ１２０４）。ステップＳ１２０４によって送信される番号通知要求信号には、携帯電話２５０の電話番号「＃Ｂ」と、リンクＩＤ「＃０００２」と、が含まれる。
【００９６】
つぎに、携帯電話２１０が、ステップＳ１２０４によって送信された番号通知要求信号に基づいて、番号通知要求に対する操作をユーザから受け付ける（ステップＳ１２０５）。つぎに、携帯電話２１０が、ステップＳ１２０５によって受け付けた操作を示す操作結果信号を交換局２３０へ送信する（ステップＳ１２０６）。ここでは、番号通知を許可する旨の操作をユーザから受け付けた場合について説明する。ステップＳ１２０６によって送信される操作結果信号には、ステップＳ１２０５によって受け付けた操作の結果（許可）と、着信側の電話番号「＃Ｂ」と、リンクＩＤ「＃０００２」と、が含まれる。
【００９７】
つぎに、交換局２３０が、ステップＳ１２０６によって送信された操作結果信号に基づく結果信号を携帯電話２５０へ送信する（ステップＳ１２０７）。ここで、交換局２３０は、操作結果信号に含まれる電話番号「＃Ｂ」およびリンクＩＤ「＃０００２」と通話記録とに基づいて、結果信号の送信先である携帯電話２５０を高速に特定することができる。ここでは、番号通知を許可する旨の操作結果信号が送信されたため、交換局２３０は、番号通知を許可する旨の結果と、発信側（携帯電話２１０）の電話番号「＃Ａ」と、リンクＩＤ「＃０００２」と、を含む結果信号を携帯電話２５０へ送信する。
【００９８】
つぎに、携帯電話２５０が、ステップＳ１２０７によって送信された結果信号に含まれる発信側（携帯電話２１０）の電話番号「＃Ａ」をユーザへ通知し（ステップＳ１２０８）、一連の動作を終了する。これにより、携帯電話２１０のユーザは、携帯電話２１０の電話番号「＃Ａ」を知ることができるため、携帯電話２１０へ発信を行うことで携帯電話２１０のユーザと連絡をとることが可能になる。
【００９９】
なお、ステップＳ１２０２によって送信される番号通知要求信号には、着信側（携帯電話２５０）のＴＭＳＩ「Ｔ２」を含めなくてもよい。この場合も、交換局２３０は、ステップＳ１２０３において、各ＩＭＳＩに対応する通話記録（図３の通話記録３２１，３２２…）を取得し、取得した各通話記録の中からリンクＩＤ「＃０００２」に対応する電話端末を検索することができる。
【０１００】
また、ステップＳ１２０４によって送信される番号通知要求信号には、携帯電話２５０の電話番号「＃Ｂ」を含めなくてもよい。この場合も、携帯電話２１０のユーザは、たとえば、最近行った番号非通知の発信の数が少ない場合（たとえば１回）には、番号非通知を許可するか否かを判断してステップＳ１２０５における操作を行うことができる。また、携帯電話２１０のユーザは、最近行った番号非通知の発信のいずれについても番号通知を許可してよいと判断する場合にも、番号通知を許可する旨の操作を行うことができる。
【０１０１】
また、ステップＳ１２０６によって送信される操作結果信号には、携帯電話２５０の電話番号「＃Ｂ」を含めなくてもよい。この場合も、交換局２３０は、ステップＳ１２０６によって送信された操作結果信号に含まれるリンクＩＤ「＃０００２」と通話記録とに基づいて、結果信号の送信先である携帯電話２５０を特定することができる。
【０１０２】
ステップＳ１２０６において番号通知を許可する旨の操作をユーザから受け付けた場合について説明したが、ステップＳ１２０６において番号通知を許可しない旨の操作をユーザから受け付けた場合について説明する。この場合は、ステップＳ１２０７において、交換局２３０は、番号通知を許可しない旨の結果を含む結果信号を携帯電話２５０へ送信する。また、ステップＳ１２０８においては、携帯電話２５０は、番号通知が許可されなかった旨をユーザへ通知する。
【０１０３】
（画面表示例）
図１３は、着信側の携帯電話の着信履歴画面の一例を示す図である。図１３において、図８に示した部分と同様の部分については同一の符号を付して説明を省略する。図１３に示すように、携帯電話２５０は、図８に示した再発信要求ボタン８２０に代えて番号通知要求ボタン１３１０を含む着信履歴画面８００を表示する。
【０１０４】
図１２に示したステップＳ１２０１において、ユーザは、カーソル移動などによって着信履歴８１０を選択した状態で、番号通知要求ボタン１３１０を指定する（番号通知要求の操作）。これにより、携帯電話２５０は、図１２に示したステップＳ１２０２において、着信履歴８１０に対応付けられたリンクＩＤ「＃０００２」（図４参照）を含む番号通知要求信号を交換局２３０へ送信する。
【０１０５】
図１４は、発信側の携帯電話に表示される番号通知要求画面の一例を示す図である。図１２に示したステップＳ１２０５において、携帯電話２１０の画面には番号通知要求画面１４００が表示される。番号通知要求画面１４００は、メッセージボックス１４１０と、許可ボタン１４２１と、拒否ボタン１４２２と、を含む。メッセージボックス１４１０は、電話番号「＃Ｂ」の電話端末から番号通知要求があった旨のメッセージを示す。
【０１０６】
これに対して、携帯電話２１０のユーザは、許可ボタン１４２１および拒否ボタン１４２２のいずれかを指定する操作を行う。許可ボタン１４２１が指定されると、携帯電話２１０は、図１２に示したステップＳ１２０６において、番号通知を許可する旨の操作結果信号を交換局２３０へ送信する。また、拒否ボタン１４２２が指定されると、携帯電話２１０は、図１２に示したステップＳ１２０６において、番号通知を許可しない旨の操作結果信号を交換局２３０へ送信する。
【０１０７】
図１５は、着信側の携帯電話における番号通知要求に対する結果表示（通知許可）の一例を示す図である。図１５において、図１３に示した部分と同様の部分については同一の符号を付して説明を省略する。図１２に示したステップＳ１２０６において、番号通知を許可する旨の操作結果信号が交換局２３０へ送信された場合は、携帯電話２５０は、ステップＳ１２０８においてメッセージボックス１５１０を表示する。メッセージボックス１５１０においては、要求結果として携帯電話２１０の電話番号「＃Ａ」が表示される。
【０１０８】
これにより、携帯電話２５０のユーザは、指定した番号非通知の発信側の電話番号を知ることができる。また、ユーザがＯＫボタン１５１１を指定すると、携帯電話２５０は、メッセージボックス１５１０を非表示にし、着信履歴画面８００を再度表示する。また、携帯電話２５０において、表示した電話番号をユーザが指定することによって表示した電話番号に対する発信を行うようにしてもよい。これにより、携帯電話２１０への発信操作を容易にすることができる。
【０１０９】
図１６は、着信側の携帯電話における番号通知要求に対する結果表示（通知不許可）の一例を示す図である。図１５において、図１３に示した部分と同様の部分については同一の符号を付して説明を省略する。図１２に示したステップＳ１２０６において、番号通知を許可しない旨の操作結果信号が交換局２３０へ送信された場合は、携帯電話２５０は、ステップＳ１２０８において、メッセージボックス１６１０を表示する。
【０１１０】
メッセージボックス１６１０においては、要求結果として携帯電話２１０の電話番号を確認できなかった旨が表示される。これにより、携帯電話２５０のユーザは、携帯電話２１０のユーザが番号通知を許可しなかったことを知ることができる。また、ユーザがＯＫボタン１６１１を指定すると、携帯電話２５０は、メッセージボックス１６１０を非表示にし、着信履歴画面８００を再度表示する。
【０１１１】
このように、実施の形態２にかかる通信システム１００によれば、番号非通知の呼の着信側の電話端末１３０のユーザは、電話端末１１０へ番号通知要求信号を送信することで、電話端末１１０のユーザに電話端末１３０への番号通知を要求することができる。これにより、電話端末１３０のユーザは、電話端末１１０の電話番号を取得し、取得した電話番号に発信することで電話端末１１０のユーザと連絡をとることができる。このため、番号非通知の発着信の利便性を向上させることができる。
【０１１２】
たとえば、電話端末１１０のユーザが番号非通知を意図せず番号非通知での発信を行った場合は、電話端末１３０への番号通知を許可すると考えられる。電話端末１１０のユーザが番号非通知を意図せず番号非通知での発信を行った場合とは、たとえば、電話端末１１０にデフォルトで番号非通知が設定されており、電話端末１１０のユーザが番号非通知を解除する操作（特番「１８６」の指定など）を忘れて発信を行った場合などである。
【０１１３】
また、電話端末１１０のユーザは、電話端末１３０への番号通知を希望しない場合には、電話端末１３０への番号通知を許可しないこともできる。このため、電話端末１１０のユーザが希望しないにも関わらず電話端末１１０の電話番号が電話端末１３０へ通知されることを回避することができる。
【０１１４】
また、電話端末１１０のユーザが電話端末１３０への番号通知を許可しなかった場合でも、電話端末１１０のユーザは、電話端末１３０のユーザから番号通知要求があったことを知ることができる。このため、電話端末１３０へ再度発信して電話端末１３０のユーザと連絡をとることもできる。また、電話端末１１０からの再発信は番号非通知で行うこともできるため、電話端末１１０のユーザは電話端末１３０のユーザに対して番号非通知のまま連絡をとることもできる。
【０１１５】
また、電話端末１１０へ送信する番号通知要求信号に電話端末１３０を特定可能な要求元特定情報を含めることで、電話端末１１０のユーザは、番号通知要求の要求元が電話端末１３０であることを知ることができる。これにより、電話端末１１０のユーザは、番号通知要求の要求元を確認した上で番号通知の許可／不許可の判断を行うことができる。
【０１１６】
（実施の形態３）
（通信システムの構成）
図１７は、実施の形態３にかかる通信システムを示すブロック図である。図１７において、図１１に示した構成と同様の構成については同一の符号を付して説明を省略する。図１７に示すように、実施の形態３にかかる交換機１２０は、図１１に示した通知部１１２２に代えて呼制御部１７２１を備えている。
【０１１７】
電話端末１３０の受付部１３４は、記憶部１３２に記憶された識別情報を指定した発信許可要求の操作をユーザから受け付ける。発信許可要求は、指定された識別情報に対応する番号非通知の呼について、着信側の電話端末から発信側の電話番号への発信の許可の要求である。受付部１３４は、発信許可要求の操作において指定された識別情報を送信部１３５へ出力する。送信部１３５は、受付部１３４から出力された識別情報を含む発信許可要求信号を交換機１２０へ送信する。
【０１１８】
交換機１２０の受信部１２４は、電話端末１３０から送信された発信許可要求信号を受信する。受信部１２４は、受信した発信許可要求信号を検索部１２５へ出力する。また、受信部１２４は、受信した発信許可要求信号の送信元の電話端末１３０を特定可能な要求元特定情報を第二送信部１２６へ出力してもよい。
【０１１９】
検索部１２５は、受信部１２４から出力された発信許可要求信号に含まれる識別情報に対応する電話端末を、記憶部１２２に記憶された対応情報から検索する。検索部１２５は、検索した電話端末を第二送信部１２６へ通知する。第二送信部１２６は、検索部１２５から通知された電話端末へ発信許可要求信号を送信する。また、第二送信部１２６は、受信部１２４から出力された要求元特定情報を発信許可要求信号に含めてもよい。
【０１２０】
電話端末１１０の受信部１１１は、交換機１２０から送信された発信許可要求信号を受信する。受信部１１１は、受信した発信許可要求信号を通知部１１２へ出力する。通知部１１２は、受信部１１１から出力された発信許可要求信号に基づく発信許可要求を電話端末１１０のユーザへ通知する。また、通知部１１２は、発信許可要求信号に要求元特定情報が含まれている場合は、要求元特定情報をユーザへ通知してもよい。これにより、ユーザは、発信許可要求の要求元を知ることができる。
【０１２１】
受付部１１１１は、通知部１１２によって通知された発信許可要求に対するユーザからの操作を受け付ける。受付部１１１１は、ユーザから受け付けた操作を示す操作結果信号を送信部１１１２へ出力する。たとえば、操作結果信号は、電話端末１３０から電話端末１１０への発信を許可するか否かを示す信号である。送信部１１１２は、受付部１１１１から出力された操作結果信号を交換機１２０へ送信する。
【０１２２】
交換機１２０の第二受信部１１２１は、電話端末１１０から送信された操作結果信号を受信する。第二受信部１１２１は、受信した操作結果信号を呼制御部１７２１へ出力する。呼制御部１７２１は、第二受信部１１２１から出力された操作結果信号に基づいて、電話端末１３０を発信側とし、電話端末１１０を着信側とする呼の制御を行う。
【０１２３】
具体的には、呼制御部１７２１は、第二受信部１１２１から発信を許可する旨の操作結果信号が出力された場合は、電話端末１３０を発信側とし、電話端末１１０を着信側とする呼の制御を行う。また、呼制御部１７２１は、第二受信部１１２１から発信を許可しない旨の操作結果信号が出力された場合は、呼の制御を行わずに、発信が許可されなかった旨の結果信号を電話端末１３０へ送信する。
【０１２４】
これにより、電話端末１１０のユーザが電話端末１１０への発信を許可した場合は、電話端末１３０のユーザは、電話端末１１０に発信し、電話端末１１０のユーザと連絡をとることができる。また、この場合は、電話端末１３０が電話端末１１０の電話番号を取得しなくても電話端末１３０から電話端末１１０への発信を行うことができるため、電話端末１３０のユーザに対して番号非通知のまま連絡をとることもできる。
【０１２５】
また、電話端末１１０のユーザが電話端末１１０への発信を許可しなかった場合でも、電話端末１１０のユーザは、電話端末１３０のユーザから発信許可要求があったことを知ることができる。このため、電話端末１３０へ再度発信して電話端末１３０のユーザと連絡をとることができる。また、電話端末１１０からの再発信は番号非通知で行うこともできるため、電話端末１１０のユーザは電話端末１３０のユーザに対して番号非通知のまま連絡をとることもできる。
【０１２６】
（通信システムの具体例等）
実施の形態３にかかる通信システム１００の具体例については、図２に示した具体例と同様である。また、実施の形態３にかかる交換局２３０のメモリに記憶される情報の例については、図３に示した例と同様である。また、実施の形態３にかかる着信側の携帯電話２５０に記憶される着信履歴情報の例については、図４に示した例と同様である。
【０１２７】
（通信システムの動作）
実施の形態３にかかる発信側の携帯電話２１０の発信操作に基づく通信システムの動作の例については、図５または図６に示した例と同様である。
【０１２８】
図１８は、着信側の発信許可要求に基づく通信システムの動作の一例を示すシーケンス図である。図１８に示す各ステップの前に、図５または図６の動作によって、リンクＩＤ「＃０００２」と対応付けられた着信履歴が携帯電話２５０に記憶されているとする。まず、携帯電話２５０が、リンクＩＤ「＃０００２」に対応する着信履歴を指定した発信許可要求の操作をユーザから受け付ける（ステップＳ１８０１）。
【０１２９】
つぎに、携帯電話２５０が、発信許可要求信号を交換局２３０へ送信する（ステップＳ１８０２）。ステップＳ１８０２によって送信される発信許可要求信号には、着信側（携帯電話２５０）のＴＭＳＩ「Ｔ２」と、ステップＳ１８０１において指定された着信履歴に対応するリンクＩＤ「＃０００２」と、が含まれる。
【０１３０】
つぎに、交換局２３０が、ステップＳ１８０２によって送信された発信許可要求信号に含まれるリンクＩＤ「＃０００２」に対応する電話端末を通話記録（図３の通話記録３２１，３２２…）に基づいて検索する（ステップＳ１８０３）。これにより、携帯電話２１０が検索される。たとえば、交換局２３０は、発信許可要求信号に含まれるＴＭＳＩ「Ｔ２」（識別子）と加入者情報（図３の３１０）から、対応するＩＭＳＩ「Ｉ２」の通話記録（図３の通話記録３２２）を取得し、取得した通話記録の中からリンクＩＤ「＃０００２」に対応する電話端末を検索してもよい。これにより、リンクＩＤ「＃０００２」に対応する電話端末を高速に検索することができる。
【０１３１】
つぎに、交換局２３０が、ステップＳ１８０３によって検索された携帯電話２１０へ発信許可要求信号を送信する（ステップＳ１８０４）。ステップＳ１８０４によって送信される発信許可要求信号には、携帯電話２５０の電話番号「＃Ｂ」と、リンクＩＤ「＃０００２」と、が含まれる。
【０１３２】
つぎに、携帯電話２１０が、ステップＳ１８０４によって送信された発信許可要求信号に基づいて、発信許可要求に対する操作をユーザから受け付ける（ステップＳ１８０５）。つぎに、携帯電話２１０が、ステップＳ１８０５によって受け付けた操作を示す操作結果信号を交換局２３０へ送信する（ステップＳ１８０６）。ここでは、発信を許可する旨の操作をユーザから受け付けた場合について説明する。ステップＳ１８０６によって送信される操作結果信号には、ステップＳ１８０５によって受け付けた操作の結果（許可）と、着信側の電話番号「＃Ｂ」と、リンクＩＤ「＃０００２」と、が含まれる。
【０１３３】
つぎに、交換局２３０が、ステップＳ１８０６によって送信された操作結果信号に基づく結果信号を携帯電話２５０へ送信する（ステップＳ１８０７）。ここで、交換局２３０は、操作結果信号に含まれる電話番号「＃Ｂ」およびリンクＩＤ「＃０００２」と通話記録とに基づいて、結果信号の送信先である携帯電話２５０を高速に特定することができる。ここでは、発信を許可する旨の操作結果信号が送信されたため、交換局２３０は、発信を許可する旨の結果と、リンクＩＤ「＃０００２」と、を含む結果信号を携帯電話２５０へ送信する。
【０１３４】
また、ステップＳ１８０７において、交換局２３０は、ステップＳ１８０６によって送信された操作結果信号に含まれるリンクＩＤ「＃０００２」と通話記録とに基づいて、結果信号の送信先である携帯電話２５０を特定することができる。また、交換局２３０は、ステップＳ１８０６によって送信された操作結果信号に含まれる電話番号「＃Ｂ」およびリンクＩＤ「＃０００２」と通話記録とに基づいて、結果信号の送信先である携帯電話２５０を高速に特定することもできる。
【０１３５】
つぎに、携帯電話２５０が、ステップＳ１８０７によって送信された結果（許可）に基づいて、呼設定メッセージ（ＳＥＴ  ＵＰ）を交換局２３０へ送信する（ステップＳ１８０８）。ステップＳ１８０８によって送信される呼設定メッセージには、リンクＩＤ「＃０００２」と、着信側（携帯電話２５０）のＴＭＳＩ「Ｔ２」と、が含まれる。
【０１３６】
つぎに、交換局２３０が、ステップＳ１８０８によって送信された呼設定メッセージに含まれるリンクＩＤ「＃０００２」に対応する電話端末を通話記録（図３の通話記録３２１，３２２…）に基づいて検索する（ステップＳ１８０９）。ステップＳ１８０９によって携帯電話２１０が検索される。たとえば、交換局２３０は、呼設定メッセージに含まれるＴＭＳＩ「Ｔ２」と加入者情報（図３の３１０）から、対応するＩＭＳＩ「Ｉ２」の通話記録（図３の通話記録３２１）を取得し、取得した通話記録の中からリンクＩＤ「＃０００２」に対応する電話端末を検索してもよい。これにより、リンクＩＤ「＃０００２」に対応する電話端末を高速に検索することができる。
【０１３７】
つぎに、交換局２３０が、ステップＳ１８０９によって検索された携帯電話２１０へ呼設定メッセージを送信する（ステップＳ１８１０）。以降、通常の手順により、携帯電話２５０を発信側とし、携帯電話２１０を着信側とする呼の制御が行われる。これにより、携帯電話２５０のユーザは、携帯電話２１０への発信を行うことができるため、携帯電話２１０のユーザと連絡をとることができる。
【０１３８】
なお、ステップＳ１８０２によって送信される発信許可要求信号には、着信側（携帯電話２５０）のＴＭＳＩ「Ｔ２」を含めなくてもよい。この場合も、交換局２３０は、ステップＳ１８０３において、各ＩＭＳＩに対応する通話記録（図３の通話記録３２１，３２２…）を取得し、取得した各通話記録の中からリンクＩＤ「＃０００２」に対応する電話端末を検索することができる。ステップＳ１８０８によって送信される呼設定メッセージについても同様である。
【０１３９】
また、ステップＳ１８０４によって送信される発信許可要求信号には、携帯電話２５０の電話番号「＃Ｂ」を含めなくてもよい。この場合も、携帯電話２１０のユーザは、たとえば、最近行った番号非通知の発信の数が少ない場合（たとえば１回）には、発信を許可するか否かを判断してステップＳ１８０５における操作を行うことができる。また、携帯電話２１０のユーザは、最近行った番号非通知の発信のいずれについても発信を許可してよいと判断する場合にも、発信を許可する旨の操作を行うことができる。
【０１４０】
また、ステップＳ１８０６によって送信される操作結果信号には、携帯電話２５０の電話番号「＃Ｂ」を含めなくてもよい。この場合も、交換局２３０は、ステップＳ１８０６によって送信された操作結果信号に含まれるリンクＩＤ「＃０００２」と通話記録とに基づいて、結果信号の送信先である携帯電話２５０を特定することができる。
【０１４１】
ステップＳ１８０６において発信を許可する旨の操作をユーザから受け付けた場合について説明したが、ステップＳ１８０６において発信を許可しない旨の操作をユーザから受け付けた場合について説明する。この場合は、ステップＳ１８０７において、交換局２３０は、発信を許可しない旨の結果を含む結果信号を携帯電話２５０へ送信する。つぎに、携帯電話２５０が、発信が許可されなかった旨をユーザへ通知し一連の動作を終了する。
【０１４２】
図１９は、着信側の発信許可要求に基づく通信システムの動作の他の例を示すシーケンス図である。図１９に示すステップＳ１９０１〜Ｓ１９０６は、図１８に示したステップＳ１８０１〜Ｓ１８０６と同様である。ただし、ステップＳ１９０２においては、携帯電話２５０は、発信許可要求信号として呼設定メッセージ（ＳＥＴ  ＵＰ）を交換局２３０へ送信する。ステップＳ１９０２によって送信される呼設定メッセージには、着信側（携帯電話２５０）のＴＭＳＩ「Ｔ２」と、ステップＳ１９０１において指定された着信履歴に対応するリンクＩＤ「＃０００２」と、が含まれる。
【０１４３】
これにより、交換局２３０は、ステップＳ１９０１によって携帯電話２５０からの呼設定メッセージを受信しておくことができるため、携帯電話２５０からの呼設定メッセージを再度受信しなくても呼制御を行うことができる。具体的には、交換局２３０は、ステップＳ１９０６によって発信を許可する旨の操作結果信号を受信した場合に、ステップＳ１９０２によって送信された呼設定メッセージに基づいて、携帯電話２１０へ呼設定メッセージを送信する（ステップＳ１９０７）。
【０１４４】
これにより、図１８に示したステップＳ１８０７，Ｓ１８０８に相当する動作を省くことができる。以降、携帯電話２５０を発信側とし、携帯電話２１０を着信側とする呼の制御が行われる。これにより、携帯電話２５０のユーザは、携帯電話２１０への発信を行うことができるため、携帯電話２１０のユーザと連絡をとることができる。
【０１４５】
ステップＳ１９０６において発信を許可する旨の操作をユーザから受け付けた場合について説明したが、ステップＳ１９０６において発信を許可しない旨の操作をユーザから受け付けた場合について説明する。この場合は、ステップＳ１９０６のつぎに、交換局２３０が、発信を許可しない旨の結果を含む結果信号を携帯電話２５０へ送信する。つぎに、携帯電話２５０が、発信が許可されなかった旨をユーザへ通知し一連の動作を終了する。
【０１４６】
（画面表示例）
図２０は、着信側の携帯電話の着信履歴画面の一例を示す図である。図２０において、図８に示した部分と同様の部分については同一の符号を付して説明を省略する。図２０に示すように、携帯電話２５０は、図８に示した再発信要求ボタン８２０に代えて発信許可要求ボタン２０１０を含む着信履歴画面８００を表示する。
【０１４７】
図１８に示したステップＳ１８０１において、ユーザは、カーソル移動などによって着信履歴８１０を選択した状態で、発信許可要求ボタン２０１０を指定する（発信許可要求の操作）。これにより、携帯電話２５０は、図１８に示したステップＳ１８０２において、着信履歴８１０に対応付けられたリンクＩＤ「＃０００２」（図４参照）を含む発信許可要求信号を交換局２３０へ送信する。
【０１４８】
または、図１９に示したステップＳ１９０１において、ユーザは、カーソル移動などによって着信履歴８１０を選択した状態で、発信許可要求ボタン２０１０を指定する（発信許可要求の操作）。これにより、携帯電話２５０は、図１９に示したステップＳ１９０２において、着信履歴８１０に対応付けられたリンクＩＤ「＃０００２」（図４参照）を含む呼設定メッセージを交換局２３０へ送信する。
【０１４９】
図２１は、発信側の携帯電話に表示される発信許可要求画面の一例を示す図である。図１８に示したステップＳ１８０５または図１９に示したステップＳ１９０５において、携帯電話２１０の画面には発信許可要求画面２１００が表示される。発信許可要求画面２１００は、メッセージボックス２１１０と、許可ボタン２１２１と、拒否ボタン２１２２と、を含む。メッセージボックス２１１０は、電話番号「＃Ｂ」の電話端末から発信許可要求があった旨のメッセージを示す。
【０１５０】
これに対して、携帯電話２１０のユーザは、許可ボタン２１２１および拒否ボタン２１２２のいずれかを指定する操作を行う。許可ボタン２１２１が指定されると、携帯電話２１０は、図１８に示したステップＳ１８０６または図１９に示したステップＳ１９０６において、発信を許可する旨の操作結果信号を交換局２３０へ送信する。また、拒否ボタン２１２２が指定されると、携帯電話２１０は、図１８に示したステップＳ１８０６または図１９に示したステップＳ１９０６において、発信を許可しない旨の操作結果信号を交換局２３０へ送信する。
【０１５１】
このように、実施の形態３にかかる通信システム１００によれば、番号非通知の呼の着信側の電話端末１３０のユーザは、電話端末１１０へ発信許可要求信号を送信することで、電話端末１１０のユーザに電話端末１１０への発信許可を要求することができる。これにより、電話端末１３０のユーザは、電話端末１１０に発信することで電話端末１１０のユーザと連絡をとることができる。このため、番号非通知の発着信の利便性を向上させることができる。
【０１５２】
また、電話端末１１０のユーザは、電話端末１３０からの発信を希望しない場合には、電話端末１３０からの発信を許可しないこともできる。このため、電話端末１１０のユーザが希望しないにも関わらず電話端末１３０から電話端末１１０へ発信されることを回避することができる。
【０１５３】
また、電話端末１１０のユーザが電話端末１３０からの発信を許可しなかった場合でも、電話端末１１０のユーザは、電話端末１３０のユーザから発信要求があったことを知ることができる。このため、電話端末１３０へ再度発信して電話端末１３０のユーザと連絡をとることもできる。また、電話端末１１０からの再発信は番号非通知で行うこともできるため、電話端末１１０のユーザは電話端末１３０のユーザに対して番号非通知のまま連絡をとることもできる。
【０１５４】
また、電話端末１１０へ送信する発信許可要求信号に電話端末１３０を特定可能な要求元特定情報を含めることで、電話端末１１０のユーザは、発信許可要求の要求元が電話端末１３０であることを知ることができる。これにより、電話端末１１０のユーザは、発信許可要求の要求元を確認した上で発信の許可／不許可の判断を行うことができる。
【０１５５】
（着信側のユーザによる要求信号の選択）
図２２は、着信側の携帯電話の着信履歴画面の一例を示す図である。図２２において、図８、図１３または図２０に示した部分と同様の部分については同一の符号を付して説明を省略する。図２２に示すように、携帯電話２５０は、再発信要求ボタン８２０、番号通知要求ボタン１３１０および発信許可要求ボタン２０１０を含む着信履歴画面８００を表示してもよい。ユーザは、カーソル移動などによって着信履歴８１０を選択した状態で、再発信要求ボタン８２０、番号通知要求ボタン１３１０および発信許可要求ボタン２０１０のいずれかを指定する（要求の選択操作）。
【０１５６】
ユーザが再発信要求ボタン８２０を指定した場合は、図７に示した動作が実行される。また、ユーザが番号通知要求ボタン１３１０を指定した場合は、図１２に示した動作が実行される。また、ユーザが発信許可要求ボタン２０１０を指定した場合は、図１８または図１９に示した動作が実行される。このように、上述した各実施の形態を組み合わせ、携帯電話２５０のユーザの選択により携帯電話２１０に対する要求内容を決定してもよい。
【０１５７】
以上説明したように、交換機、通信システム、通信方法および電話端末によれば、交換機において、番号非通知の呼の識別情報を着信側へ送信し、着信側のユーザ操作により送信された識別情報に基づいて発信側へ信号を送信することができる。これにより、着信側のユーザが発信側のユーザと連絡をとることを可能にする。このため、番号非通知の発着信の利便性を向上させることができる。
【０１５８】
上述した各実施の形態に関し、さらに以下の付記を開示する。
【０１５９】
（付記１）電話端末間の呼制御を行う交換機において、
番号非通知の呼を示す識別情報を前記呼の着信側の電話端末へ送信する第一送信部と、
前記第一送信部によって送信された識別情報を含み前記着信側の電話端末のユーザ操作により送信された要求信号を受信する受信部と、
前記受信部によって受信された要求信号に含まれる識別情報が示す呼の発信側の電話端末へ、前記要求信号に基づく要求信号を送信する第二送信部と、
を備えることを特徴とする交換機。
【０１６０】
（付記２）番号非通知の呼を示す識別情報を生成する生成部と、
前記生成部によって生成された識別情報と、前記識別情報が示す呼の発信側の電話端末と、を対応付ける対応情報を記憶する記憶部と、
前記受信部によって受信された要求信号に含まれる識別情報に対応する発信側の電話端末を前記記憶部によって記憶された対応情報に基づいて検索する検索部と、
を備え、
前記第一送信部は、前記生成部によって生成された識別情報を送信し、
前記第二送信部は、前記検索部によって検索された電話端末へ送信することを特徴とする付記１に記載の交換機。
【０１６１】
（付記３）前記記憶部は、前記対応情報を電話端末ごとに記憶し、
前記受信部は、前記着信側の電話端末を示す識別子を含む前記要求信号を受信し、
前記検索部は、前記受信部によって受信された要求信号に含まれる識別子が示す電話端末に対応する対応情報を取得し、取得した対応情報に基づいて前記発信側の電話端末を検索することを特徴とする付記２に記載の交換機。
【０１６２】
（付記４）前記第二送信部は、前記着信側の電話端末を特定可能な要求元特定情報を含む前記要求信号を送信することを特徴とする付記１〜３のいずれか一つに記載の交換機。
【０１６３】
（付記５）前記第二送信部は、前記発信側の電話端末から前記着信側の電話端末への再発信を要求する再発信要求信号を送信することを特徴とする付記１〜４のいずれか一つに記載の交換機。
【０１６４】
（付記６）前記第二送信部は、前記発信側の電話端末の電話番号の前記着信側の電話端末への通知を要求する番号通知要求信号を送信し、
前記第二送信部によって送信された番号通知要求信号に対する前記発信側の電話端末のユーザ操作の結果を示す操作結果信号を受信する第二受信部と、
前記第二受信部によって受信された操作結果信号に基づいて前記発信側の電話番号を前記着信側の電話端末へ通知する通知部と、
を備えることを特徴とする付記１〜４のいずれか一つに記載の交換機。
【０１６５】
（付記７）前記第二送信部は、前記着信側の電話端末から前記発信側の電話端末への発信の許可を要求する発信許可要求信号を送信し、
前記第二送信部によって送信された発信許可要求信号に対する前記発信側の電話端末のユーザ操作の結果を示す操作結果信号を受信する第二受信部と、
前記第二受信部によって受信された操作結果信号に基づいて、前記着信側の電話端末から前記発信側の電話端末へ発信する呼制御を行う呼制御部と、
を備えることを特徴とする付記１〜４のいずれか一つに記載の交換機。
【０１６６】
（付記８）番号非通知の呼を交換機に対して要求する発信側の電話端末と、
前記電話端末によって要求された呼を示す識別情報を前記呼の着信側の電話端末へ送信する交換機と、
前記交換機によって送信された識別情報を含む要求信号をユーザ操作によって前記交換機へ送信する前記着信側の電話端末と、
を含み、
前記交換機は、前記着信側の電話端末によって送信された要求信号に含まれる識別情報が示す呼の発信側の電話端末へ、前記要求信号に基づく要求信号を送信し、
前記発信側の電話端末は、前記交換機によって送信された要求信号が示す要求内容をユーザに通知することを特徴とする通信システム。
【０１６７】
（付記９）発信側の電話端末が、番号非通知の呼を交換機に対して要求する要求工程と、
前記交換機が、前記要求工程によって要求された呼を示す識別情報を前記呼の着信側の電話端末へ送信する第一送信工程と、
前記着信側の電話端末が、前記第一送信工程によって送信された識別情報を含む要求信号をユーザ操作によって前記交換機へ送信する第二送信工程と、
前記交換機が、前記第二送信工程によって送信された要求信号に含まれる識別情報が示す呼の発信側の電話端末へ、前記要求信号に基づく要求信号を送信する第三送信工程と、
前記発信側の電話端末が、前記第三送信工程によって送信された要求信号が示す要求内容をユーザに通知する通知工程と、
を含むことを特徴とする通信方法。
【０１６８】
（付記１０）交換機に要求された番号非通知の呼の着信側の電話端末において、
前記呼を示す識別情報を前記交換機から受信する受信部と、
前記受信部によって受信された識別情報を記憶する記憶部と、
前記記憶部によって記憶された識別情報に対するユーザによる指定操作を受け付ける受付部と、
前記受付部によって指定操作が受け付けられた識別情報を含む、前記識別情報が示す呼の発信側の電話端末に対する要求信号を前記交換機へ送信する送信部と、
を備えることを特徴とする電話端末。
【０１６９】
（付記１１）前記送信部は、前記発信側の電話端末から前記着信側の電話端末への再発信を要求する再発信要求信号を送信することを特徴とする付記１０に記載の電話端末。
【０１７０】
（付記１２）前記送信部は、前記発信側の電話端末の電話番号の前記着信側の電話端末への通知を要求する番号通知要求信号を送信し、
前記送信部によって送信された番号通知要求信号に対する前記発信側の電話端末のユーザ操作に基づいて前記交換機から通知された前記電話番号を受信する第二受信部を備えることを特徴とする付記１０に記載の電話端末。
【０１７１】
（付記１３）前記送信部は、前記着信側の電話端末から前記発信側の電話端末への発信の許可を要求する発信許可要求信号を送信することを特徴とする付記１０に記載の電話端末。
【符号の説明】
【０１７２】
１００，２００  通信システム
２１０，２５０  携帯電話
２２０，２４０  基地局
２３０  交換局
３１０  加入者情報
３２１，３２２  通話記録
４００  着信履歴情報
８００  着信履歴画面
８１０  着信履歴
８２０  再発信要求ボタン
９１０，１０１０，１４１０，１５１０，１６１０，２１１０  メッセージボックス
９１１，１５１１，１６１１  ＯＫボタン
１０００  再発信要求画面
１０２１  再発信ボタン
１０２２  無視ボタン
１３１０  番号通知要求ボタン
１４００  番号通知要求画面
１４２１，２１２１  許可ボタン
１４２２，２１２２  拒否ボタン
２０１０  発信許可要求ボタン
２１００  発信許可要求画面
【図１】
2012060477.tif 000003
【図２】
2012060477.tif 000004
【図３】
2012060477.tif 000005
【図４】
2012060477.tif 000006
【図５】
2012060477.tif 000007
【図６】
2012060477.tif 000008
【図７】
2012060477.tif 000009
【図８】
2012060477.tif 000010
【図９】
2012060477.tif 000011
【図１０】
2012060477.tif 000012
【図１１】
2012060477.tif 000013
【図１２】
2012060477.tif 000014
【図１３】
2012060477.tif 000015
【図１４】
2012060477.tif 000016
【図１５】
2012060477.tif 000017
【図１６】
2012060477.tif 000018
【図１７】
2012060477.tif 000019
【図１８】
2012060477.tif 000020
【図１９】
2012060477.tif 000021
【図２０】
2012060477.tif 000022
【図２１】
2012060477.tif 000023
【図２２】
2012060477.tif 000024